(57)【要約】【課題】  部品交換をすることにより、色々な設置環境に対して適応可能な床束の構成を得る。【解決手段】  床束の本体を構成する支持軸２の上下の端部のうち少なくとも下部の端部に対して脚部として形成配置される部材を、支持軸２に対して着脱可能な交換部材１として構成する。図示の構成はこの交換部材１を床束の脚部として使用する場合を示し、交換部材１の中央の挿入部３に対して支持軸２を挿入することにより支持軸２と一体化して床束を構成する。交換部材２として設置面積が異なるもの等を適宜選択することにより、その設置環境に適した床束を構成する。【選択図】        図１
0003105769.tif 000002
【実用新案登録請求の範囲】
【請求項１】
支持軸の下端に当該支持軸を含めた支持対象を支持する脚部が設けられ、かつ支持軸の上端には建築物の架材或いは床面裏面等の支持対象に直接接触してこの支持対象を支持する支持体が設けられた床束に用いられる部材であって、当該支持軸の脚部及び支持体のうち少なくとも一方はこの支持軸に対して着脱交換可能な交換部材として構成されていることを特徴とする床束用交換部材。
【請求項２】
交換部材のほぼ中央部には支持軸を嵌挿する挿入部が設けられていることを特徴とする請求項１記載の床束用交換部材。
【請求項３】
挿入部と対象物に直接接触する接触部との間には補強板が設けられていることを特徴とする請求項２記載の床束用交換部材。
【請求項４】
支持軸は伸縮可能に構成され、かつ支持軸上端の交換部材は天井面に当接可能に構成され、かつ当該支持軸下端の交換部材は家具に対して当接可能に構成することにより、全体構成が家具転倒防止装置として利用可能に構成された請求項１記載の床束用交換部材。
【考案の詳細な説明】
【技術分野】
【０００１】
本考案は床束に係り、特に床束を構成する部材のうち束石等の地盤側に接触する接地部、或いは床束の支持対象である大引き等の建築構造物に対して直接接触する支持体に関する。
【背景技術】
【０００２】
例えば木造家屋においては、家屋の床部分を支える架材である大引や根太等と土間との間に床束と称する木材や金属材料からなる支持材を配置することにより家屋の床部分を支える構造となっている。
【０００３】
床束により床部を支持する構造では、前記架材である大引や根太の反りや歪み等の木材の経時的変化により、或いは土間の沈下等によって架材側と固定されている床束が浮き上がって、床束とこの床束を支持する束石との間に隙間ができてしまい、床束本来の役目を果たさなくなってしまう事態がしばしば生じている。また、このような固定がなされていない床束の場合には床束自体が倒れてしまう事態も生じている。
【０００４】
本願考案者等はこれらの点に鑑み、土間と架材との間の間隔の変化に対応して軸部が展伸することにより常時架材を支持することが可能な床束の構造を提案している（特開２００４−１００１９８）。
【０００５】
図３は上記発明の床束の構造を示す
矢印１１は床束を示し、この床束１１は以下の部品により構成されている。符号１２は床束１１全体を支持する脚部たる基台部であり、コンクリートで固めた地面或いはコンクリートブロック等により構成される束石に載置され、床束１１全体を介して構造物の架材を支持する構成となっている。
【０００６】
主軸支持部１３は、前記基台部１２に嵌挿されかつ固定リング１４が配置されることによりこの基台部１２と一体化されるよう構成されている。この主軸支持部１３に対して主軸１５が嵌挿され、更にこの主軸１５に対して架材支持部７が嵌挿され、更にこれら主軸支持部１３、主軸１５及び架材支持部１７の内部に連通してコイルバネ（図示せず）が、主軸支持部１３と架材支持部１７とを離間させるように弾発力をもって収納されている。符号１８は架材支持部１７の頂部に設けられ、架材に対して直接接触しかつ支持する支持体である。
【０００７】
この構成により、地盤沈下或いは架材の変形等により地面と架材との距離が変化してもコイルバネの弾発力により支持体１８は常時架材に当接し、当該架材を支持する。また考案者等はこの構成に加えて下記特許文献のうち特許文献１として示す特開２００４−１００１９８において、支持体８の上昇方向に対する挙動を許容しかつ下降方向に対する挙動を阻止するストッパ機構を設けることにより架材の支持をより確実に行えるよう構成した発明も提案している。
【０００８】
本願考案も含めて、床束の軸部の伸長により架材を常時支持する構成は下記特許文献の如く何種か提案され、それなりの効果を発揮している。
しかしながら、下記特許文献に示すものは何れも、脚部たる基台部或いは架材を直接支持する支持体が軸部に対して一体不可分に構成されているため次のような問題に対処することが困難である。
【０００９】
例えば地盤が軟弱であって束石の接地面積では床束の支持が不十分な場合、或いは架材の形状が特殊である場合等においては、上記の基台部の構成或いは支持体の構成では床束としての機能を十分発揮することが出来ない事態が発生することがある。
【特許文献１】特開２００４−１００１９８
【特許文献２】特開２００１−２８８８７５
【特許文献３】特開２０００−３１００２６
【考案の開示】
【考案が解決しようとする課題】
【００１０】
床束は従来軸部の上下に配置された脚部および架材を直接支持する支持体が軸部と一体化しているため、地盤の強度或いは架材の形状等に係わりなく所定の構成の床束を使用せざるを得ず、この結果設置環境によっては床束として十分な機能を発揮することができない事態が生じている。
【００１１】
また、架材に対する支持に関する場合の他、例えば長年の使用により床板自体にたわみが生じて、床面が変形したり、床面を歩行するときに軋み音が発生する場合があるが、このような事態が発生したときに適切に対処できる部材が従来提供されていないため、そのまま放置されるか、床下に補強材を打ちつける対症療法的な処置が施されるに過ぎなかった。
【課題を解決するための手段】
【００１２】
本考案は上記の課題を解決するために構成されたものであり、床束の軸部の下端に設けられる脚部と、軸部上端に設けられ架材と直接当接する支持体のうち、少なくとも脚部となる部材を軸部に対して着脱可能に構成し、床束の使用状況に応じて最も適切な部材を選択使用することを可能にした床束用交換部材に関する。
【考案の効果】
【００１３】
本考案によれば、軸部に対して脚部或いは架材を支持する支持体が着脱可能な交換部材として構成されているため、地盤の良否、架材の形状等床束の使用環境に応じて、適切な交換部材を選択することにより脚部或いは支持材をその環境に応じた最適なものとした床束を構成し、この結果異なる使用環境下においても常に床束として最適な機能を発揮することが可能となる。
【考案を実施するための最良の形態】
【００１４】
長さが固定された軸部或いはその全長が伸長可能な軸部に対して脚部となる部材或いは大引等の架材や、床部裏面を直接支持する支持体を軸部に対して着脱可能にした交換部材として構成する。
【実施例１】
【００１５】
以下本考案の実施例を図面を参考に具体的に説明する。
図１において、矢印１は床束用の交換部材を示し、図示のものはこの交換部材１を床束の支持軸２の下端部に装着することにより床束の脚部（図３の基台部１２に対応）として使用する状態を示している。
【００１６】
図示の構成の交換部材１は平面形状が略直方体に形成されかつ平面部の投影面積も比較的大きく形成されることにより、接地面積を大きく設定し、比較的軟弱な地盤にも対処可能に構成されている。
【００１７】
符号３は交換部材１のほぼ中央に配置された挿入部であって、床束の支持軸２の下端がこの挿入部３に挿入されるようになっている。支持軸２はこの挿入部３に挿入されだけで架材側の荷重は挿入部３に対して当該支持軸２が進入する方向に作用し、両者が離間することはないので、通常は支持軸２と挿入部３との間には特別な係合機構は設けられていない。但し、地盤の状況等に合わせて所定の交換部材１を選択しかつ床束設置前に所定の交換部材を支持軸２に取り付けておく場合には、床束の設置作業中に交換部材１が脱落しない程度の係合機構を設けておけば作業性を高めることができる。
【００１８】
４は前記挿入部３と、挿入部３に直交する板状部として構成されている接地部５との間に介在配置された補強板である。補強板４を図示の如く複数形成しておけば交換部材１としての強度を十分保持することが可能となるため、この交換部材１は金属材料を用いず、プラスチックにより安価かつ大量に製造する事が可能である。またこの交換部材１を支持軸２の上端に取り付ければ架材側に接触する支持体としても利用可能である。
【実施例２】
【００１９】
図２の構成は第２の実施例を示す。
この実施例では前記交換部材１の接地部５の両側部から、この接地部５に直交するように別の接地部５ａ、５ｂが展出することにより交換部材１の平面形状が略十字に見えるよう構成され、前記実施例よりも更に大きな接地面積を確保するよう構成されている。
【００２０】
またこの交換部材１を架材の支持体として用いる場合には、この交換部材１を大引の交差部に配置することにより二つの大引を支持するようにしたり、脚部として利用する場合にはより広い接地面積を確保することにより床束としての支持機能をより効果的に発揮することが可能であ。
【００２１】
更に、この交換部材１を床部裏面に直接当接して床部の変形或いは軋み音の発生を防止する場合にはこのように展出した接地部５ａ、５ｂがあることにより床面を広い面積で支えることが可能となり床面の変形矯正、軋み音の発生防止に非常に有効である。
【００２２】
以上本考案を二つの実施例により説明したが、固定或いは伸長可能な支持軸のいずれであっても、交換部材１の構成はこの二つの図に示されたものに限定するのではなく、平面形状を多角形、或いは円形としたり、或いは接地面に対して凹凸を形成して交換部材１を直接接地させ、かつ凹凸部により接地部の滑りを無くす等色々な構成が可能である。
【００２３】
なお、本考案における着脱型の意味は交換部材１を床束として所定の位置に固定的に設置する前に、支持対象物に対する最適な形状大きさの交換部材を選択するための着脱操作をすることも意味する。因みに、床束として設置固定後はこの床束として長期間機能するため交換部材１を交換することは稀である。従って最適な交換部材１が選択されたならばこの交換部材１を支持軸２に対してボルトや接着材等で一体不可分に固定し、支持軸２に対して交換部材１が一体化した状態にしてから床束として使用するように構成する事ももとより可能である。
【産業上の利用可能性】
【００２４】
以上本件構成を、家屋等の構造物を支持する床束を例に説明したが、前記支持軸を伸縮可能とし、床束よりも小型に形成すれば、この構成はそのまま地震等の際の家具転倒防止装置として利用可能である。
【００２５】
即ち、交換部材１として箪笥等の家具に直接接触するもの（床束の場合の接地用の脚部に相当する）と、天井面に直接接触するもの（床束の架材支持体に対応するもの）を適宜選択し、家具と天井面との間で支持軸を伸長させて、この支持軸を所謂突っ張らせることにより家具の転倒防止装置として利用することが可能である。
【図面の簡単な説明】
【００２６】
【図１】本考案の第１の実施例を示す交換部材の斜視図である。
【図２】本考案の第２の実施例を示す交換部材の斜視図である。
【図３】支持軸の上下に基台部と支持体が固定されている床束の側面図である。
【符号の説明】
【００２７】
１  交換部材
２  支持軸  
３  挿入部
４  補強板
５  接地部
１１  床束
１２  基台部
１５  主軸
１７  架材支持部
１８  支持体
【図１】
0003105769.tif 000003
【図２】
0003105769.tif 000004
【図３】
0003105769.tif 000005